(57)【要約】      （修正有）【課題】リフトに乗っている間に、脚に負荷をかけることを防止できるスノーボードのために繋ぎ縄装置を提供する。【解決手段】スノーボードのための繋ぎ縄装置１０は、前方ケーシング１４と後方ケーシング１６とから組み立てられ、スノーボードに接続するための接続手段１８を備える筐体と、筐体に収容されるよう適合させられ、筐体に接続された第１端部と、筐体から離れるように延びることが可能である第２端部とを有する繋ぎ縄と、繋ぎ縄の第２端部に配置され、筐体のガイド部４０において受けられ得る受け部２２を有し、リフトのレールまたは安全バーに取り付け可能な係合手段２０とを備え、受け部２２は、ガイド部において受けられるよう配置された場合に、事前定義された向きに位置決めされるようにガイド部に沿う輪郭をもつ。【選択図】図４
0003208687.tif 000002
【実用新案登録請求の範囲】
【請求項１】
ボードスポーツ用具を繋ぐための装置であり、
筐体と、
前記筐体に収容されるよう適合させられた繋ぎ縄であって、前記筐体に接続された第１端部と、前記筐体から離れるように延びることが可能である第２端部とを有する繋ぎ縄と、
前記繋ぎ縄の前記第２端部に配置された係合手段であって、前記筐体のガイド部において受けられ得る受け部を有する係合手段と
を備え、
前記受け部は、前記受け部が、前記ガイド部において受けられるよう配置された場合に、事前定義された向きに位置決めされるように前記ガイド部に沿う輪郭をもつ、装置。
【請求項２】
前記係合手段は、前記受け部が前記事前定義された向きに位置決めされた場合に、前記筐体の隣接部分の形状に実質的に沿うよう構成されている、請求項１に記載の装置。
【請求項３】
前記係合手段は、前記受け部が前記事前定義された向きに位置決めされた場合に、前記筐体において少なくとも部分的に受けられるよう適合させられている、請求項１に記載の装置。
【請求項４】
前記係合手段は、前記受け部が前記事前定義された向きに位置決めされた場合に、前記筐体の外壁と実質的に同一平面となるよう配置されている、請求項１に記載の装置。
【請求項５】
前記係合手段は、ユーザにより操作されるよう適合させられているハンドル部を有する、請求項１に記載の装置。
【請求項６】
前記係合手段は、アンカーと解放可能に係合されるよう適合させられている係合部分を有する、請求項１に記載の装置。
【請求項７】
前記係合部分は、前記アンカーに取り付け可能なフックを含み、前記アンカーはリフトのレールである、請求項６に記載の装置。
【請求項８】
前記係合手段は、互いに一の角度で配置された第１アームと第２アームとを有し、前記第１アームは前記受け部を含む、請求項１に記載の装置。
【請求項９】
前記受け部が前記ガイド部において受けられている場合に、前記係合手段の前記第２アームは、前記筐体の側面と実質的に位置が合うよう配置され、前記係合手段の前記第１アームは、前記筐体の前記側面を実質的に横断するよう配置される、請求項８に記載の装置。
【請求項１０】
前記受け部が前記ガイド部において受けられている場合に、前記第２アームは、前記筐体の前記側面の凹み内に少なくとも部分的に受けられる、請求項９に記載の装置。
【請求項１１】
前記繋ぎ縄の前記第１端部は、前記繋ぎ縄が延ばされている場合に、前記筐体内へと格納可能であるように、格納可能機構を介して前記筐体に接続されている、請求項１に記載の装置。
【請求項１２】
前記格納可能機構は、前記繋ぎ縄を格納するための弾性手段を有する、請求項１１に記載の装置。
【請求項１３】
前記筐体は、前記繋ぎ縄が、前記筐体に収容された場合に巻かれるリールを有する、請求項１に記載の装置。
【請求項１４】
前記繋ぎ縄の延びを制御するよう適合させられたクラッチをさらに備える、請求項１に記載の装置。
【請求項１５】
前記クラッチは、予め定められた長さとなるよう前記繋ぎ縄の延びを制御するよう適合させられている、請求項１４に記載の装置。
【請求項１６】
前記筐体において前記係合手段をロックするよう適合させられたロック部材をさらに備える、請求項１に記載の装置。
【請求項１７】
前記筐体は、ボードへ、または前記ボード上のバインディング機構へ前記装置を接続するよう適合させられた接続手段を有する、請求項１に記載の装置。
【請求項１８】
前記装置は、スノーボード、または前記スノーボード上のバインディング機構を繋ぐためのものである、請求項１に記載の装置。
【考案の詳細な説明】
【技術分野】
【０００１】
本願考案は、物体を繋ぐための装置に関し、特に、ボードスポーツ用具を繋ぐための装置に関するが、これは他を排除するものではない。
【背景技術】
【０００２】
スノーボードは、レクリエーション活動およびウィンタースポーツとして益々人気になってきた。スノーボードをする場合に、乗り手は概して、スノーボードの上面に付けられたバインディング機構に、彼または彼女の足を取り付ける。乗り手はそれから、その足をスノーボードに取り付けたままその上に立ちながら、雪の斜面を下る。
【０００３】
ウィンタースポーツの施設またはスキー場において、スキーまたはスノーボードをするために高地へ、または丘を上がってスキーヤーまたはスノーボーダーを移送するためにリフトが一般的に設けられている。リフトに乗る、またはリフトから降りる場合に、また、リフトに乗っている間、乗り手は通常、その脚／ブーツのうち１つをバインディングから外す必要がある。リフトに乗っている間、乗り手は、スノーボードの自由端を支えるのに、解放された脚を用いるかもしれず、または単に、スノーボードに固定された他方の脚でスノーボードを支えたたまスノーボードをぶら下げておくかもしれない。両方の状況において、スノーボードの重量は、支える方の脚に不快感および疲労を引き起こし得、または、長期的には支える方の脚に傷害を引き起こしさえし得る。
【考案の概要】
【考案が解決しようとする課題】
【０００４】
本願考案の目的は、従来技術の不利な点のうち少なくとも１つを克服または改善すること、または有用な代替物を提供することである。
【０００５】
上述の目的は、独立請求項の特徴の組み合わせにより達成され、従属請求項は、本願考案のさらに有利な実施形態を開示する。
【０００６】
当業者は、以下の説明から、本考案が解決しようとする他の課題を導き出すであろう。したがって、目的に関する先述の記載は網羅的ではなく、単に、本願考案の多くの目的のうち１つを示す役割しか果たさない。
【課題を解決するための手段】
【０００７】
主な一態様において、本願考案は、スノーボードなどのボードスポーツ用具を繋ぐための装置を提供する。
装置は、
筐体と、
筐体に収容されるよう適合させられた繋ぎ縄であって、筐体に接続された第１端部と、筐体から離れるように延びることが可能である第２端部とを有する繋ぎ縄と、
繋ぎ縄の第２端部に配置された係合手段であって、筐体のガイド部において受けられ得る受け部を有する係合手段と
を備え、
受け部は、受け部が、ガイド部において受けられるよう配置された場合に、事前定義された向きに位置決めされるようにガイド部に沿う輪郭をもつ。本願考案の概要は、本願考案を規定するのに必須である全ての特徴を必ずしも開示しておらず、本願考案は、開示されている特徴のサブコンビネーションに存し得る。
【図面の簡単な説明】
【０００８】
本願考案の先述の、および更なる特徴は、以下の添付の図面と関連して単なる例示として提供される好ましい実施形態の以下の説明から明らかとなる。
【図１】スノーボードのバインディング機構に取り付けられた場合の、本願考案に係る繋ぎ縄装置の実施形態を示す斜視図である。
【図２】図１の実施形態を示す正面図である。
【図３】図１の実施形態を示す背面図である。
【図４】図１の実施形態の一部を示す分解組立図である。
【図５】図１の実施形態の筐体と係合手段とを示す断面図である。
【図６】図１の実施形態の係合手段を示す斜視図である。
【図７】図１の実施形態のリールと、繋ぎ縄と、係合手段とを示す。
【図８】図７のリールの側面図である。
【図９】本願考案に係る、装置の他の実施形態を示す正面部分図である。
【図１０】図９の実施形態を示す側面図である。
【考案を実施するための形態】
【０００９】
以下では、本願考案を実施するために必要な特徴の組み合わせを制限することなく単なる例示として好ましい実施形態の説明をする。
【００１０】
本明細書において「一実施形態」または「実施形態」について言及した場合、それは、その実施形態と関連して説明される特定の特徴、構造、または特性が、本願考案の少なくとも１つの実施形態に含まれることを意味している。本明細書の様々な箇所で現れる「一実施形態において」というフレーズは、全て同じ実施形態を必ずしも指しておらず、またそれらは他の実施形態を互いに排除する別箇の、または代替的な実施形態であるわけではない。さらに、いくつかの実施形態により示され、その他によっては示されないかもしれない様々な特徴が説明されている。同様に、いくつかの実施形態にとっての要求事項であって、他の実施形態にとってはそうではないかもしれない様々な要求事項が説明されている。
【００１１】
本明細書の請求項において、特定されている機能を実行するための手段として表現されている何れの要素も、その機能を実行する何れのやり方も網羅することが意図されている。そのような請求項により規定される本願考案は、様々な言及されている手段によって提供される機能性が、請求項が要求する様式で組み合わせられ、一緒にもたらされるという事実に存する。したがって、それらの機能性を提供し得る何れの手段も、本明細書に示されているものと同等であると見なされる。
【００１２】
本願考案は、限定されないがスノーボードまたはスノーボードバインディング機構などのボードスポーツ用具を繋ぐための装置に関する。図１を参照すると、本願考案に係る繋ぎ縄装置１０の例示的な応用が示されている。使用時に、装置１０は、スノーボード２の上面に付けられたバインディング機構のうちいずれか１つに取り付けられる。バインディング機構は概して、乗り手のブーツのスノーボード２へのしっかりとした締結を提供するよう設計されている。同図に示されているように、装置１０は、乗り手がリフトに乗る、またはリフトから降りる場合に、およびリフトに乗っている間に乗り手の脚をスノーボード２から係合解除するよう乗り手のブーツから解放されるよう適合させられたスノーボードバインディング５のストラップに取り付けられる。代替的に、装置１０は、使用されている場合に、乗り手のブーツと継続的に係合させられる他方のスノーボードバインディングのストラップに取り付けられ得る。本明細書において実施されている装置は、主にスノーボードを繋ぐことにおける使用のためのものであるが、本願考案の装置は、スポーツまたはレクリエーション目的のための他のタイプのボードまたはボード状の用具を繋ぐ、または固定するためにも適用可能であるべきであることが理解される。例えば、本願考案の装置は、スケートボード、そり、サーフボード、またはスキー等などのボードスポーツにおける他のボードを繋ぐ、接続する、つける、または固定するためにも、それら応用が本願考案の思想から逸脱することなく適しており、適切であると見なされる限り、適用可能である。
【００１３】
本願考案の実施形態の対応する正面図および背面図がそれぞれ、図２および３に示されている。本実施形態において、装置１０は、筐体１２と、筐体１２内に収容されるよう適合させられた繋ぎ縄３０とを備える。装置１０の繋ぎ縄３０は、使用されていない場合に、ユーザのいかなる動きにも干渉しないように、（これらの図面に示されているように）筐体１２内に格納され得る。
【００１４】
具体的に、繋ぎ縄３０は、筐体１２に接続された第１端部３２と、筐体１２から離れるように延びることが可能である第２端部３４とを備える（例えば、図７参照。）繋ぎ縄３０は、本願考案の目的のために適用可能である何らかのタイプの、概して長く、可撓性のワイヤ、糸、紐、ケーブル、または同様のもので形成され得る。例えば、繋ぎ縄３０は、適している、および適用可能であると当業者が見なす限り、強度が高く、可撓性であり、比較的軽量であり、低い気温に対して良好な耐性を有する何らかの材料で作られ得る。一実施形態において、繋ぎ縄３０は、限定されないがナイロンなどの合成ポリマーなどの材料で作られ得る。
【００１５】
筐体１２の分解組立図が、前方ケーシング１４と後方ケーシング１６とから筐体１２が組み立てられ得ることを明らかにする図４に示されている。但し、当業者は、適切であると見なされる限り、筐体１２の何らかの他の様式の組み立てまたは構成も本願考案により網羅されていることを理解するであろう。例えば、前方ケーシング１４および後方ケーシング１６は、アクリロニトリルブタジエンスチレン（ＡＢＳ）の部分的な、または全体的な射出成型により製造され得る。
【００１６】
図３および４に最もよく示されているように、筐体１２は、装置１０をスノーボードまたはスノーボードバインディング機構５へ接続するよう適合させられた接続手段１８を備え得る。例えば、接続手段１８は、スノーボードバインディング機構５の少なくとも１つのストラップを受ける、および／またはそれと係合するための、筐体１２を横断する少なくとも１つのスロットまたはチャンネルを含み得る。この特定の実施形態において、スロット１８が、筐体１２の後方ケーシング１６に設けられており、スロット１８は、筐体１２の対向する側面に配置された開口１８ａおよび１８ｂを有して、バインディング機構５の少なくとも１つのストラップがそれらを通れるようにする。ストラップはさらに、ねじ接続部などの複数の締結手段１９を介して筐体１２に締結され得る。スロット１８と、後方ケーシング１６における、対応するねじ接続部１９を収容するための３つの開口とを含む接続手段１８の好ましい配置は、図３および４に示されている。接続手段１８は、変更可能な数のねじ接続部１９および／または異なる形態の接続部などの代替的な配置を備え得ることが当業者に明らかとなる。
【００１７】
装置１０は、繋ぎ縄３０の第２端部３４に配置された係合手段２０も備える。具体的に、係合手段２０は、筐体１２のガイド部４０において受けられ得る受け部２２を含む。受け部２２は、受け部２２が、ガイド部４０において受けられた場合に、事前定義された向きに位置決めされるようにガイド部４０に沿う輪郭をもつ。
【００１８】
１つの好ましい実施形態において、事前定義された向きは、係合手段２０が、筐体１２に結合された場合に、筐体１２の隣接部分の形状および／または筐体１２の全体的な形状に実質的に沿うことを可能とする、筐体１２に対する受け部２２の特定の位置付けであり得る。このように形状に沿うことの例は、図２および３に示されている。本明細書の文脈において「沿う」という用語は、例えば、受け部２２がガイド部４０において受けられた場合に、係合手段２０の外形が筐体１２の全体的な形状と同様の形態である、またはそれと実質的に位置が合うことを含む。このことは、装置１０がバインディング機構５に取り付けられた場合に、ユーザのいかなる動きも装置１０の存在によって干渉されないということで有利である。他の実施形態において、事前定義された向きは、係合手段２０の少なくとも一部が筐体１２においてぴったりと受けられることを可能とする筐体１２に対する受け部２２の特定の位置付けであり得る。例えば、筐体１２には、係合手段２０の少なくとも一部を受けるよう適合させられた、１または複数の対応する外面における１または複数の凹みが配置され得る。このことは、係合手段２０が筐体１２に結合された場合の、装置１０のさらによりコンパクトかつ流線形の構造を可能とするということで有利である。
【００１９】
また更なる実施形態において、事前定義された向きは、装置１０の実質的に均一な形状および均整のとれた構成が達成され得るように、係合手段２０が筐体１２の外壁と実質的に同一平面となることを可能とする、筐体１２に対する受け部２２の特定の位置付けであり得る。
【００２０】
図４および５に示されている実施形態において、ガイド部４０は、筐体１２の一側面１３に設けられ得る。ガイド部４０は、受け部２２の少なくとも一部が通って筐体１２内へと挿入され得る開口４２を含み得る。ガイド部４０は、筐体１２と一体的に、または、筐体１２に取り付け可能な別個の部品として形成され得る。具体的に、ガイド部４０の開口４２は、受け部２２が事前定義された向きに配置された場合にのみ、開口４２が受け部２２を受けるよう適合させられるように、受け部２２に沿う輪郭をもつ。例えば、開口４２は、実質的に台形の断面を有する受け部２２の一部がその中に、一致する向きに配置された場合にのみ受けられ得るように、対応する台形の断面の通路を画定するよう、したがって、受け部２２とガイド部４０との間のいかなる相対的な回転運動も防ぐよう構成され得る。他の実施形態において、受け部２２には、事前定義された向きに配置された場合の受け部２２の、一致する構成をもつテーパ状のガイド部４０内への挿入を調整するのを補助する少なくとも１つの傾斜面２３も構成され得る。例えば、傾斜面２３は、事前定義された向きに配置された場合に、傾斜面２３がガイド部４０の対応するテーパ状の面と位置が合う、およびオプションでそれと当接する場合にのみ、受け部２２がガイド部４０内で受けられるように、ガイド部４０の対応するテーパ状の面に沿うよう構成され得る。
【００２１】
本願考案は、具体的な構成に関してガイド部および／または受け部の上述した実施形態に限定されるべきではないことが理解されよう。代わりに、係合手段の対応する受け部が事前定義された向きに配置された場合にのみ、ガイド部の開口が受け部を受けるよう適合させられるように、その開口が、受け部に沿うような輪郭をもつ限り、ガイド部および／または対応する受け部のいかなる構造または構成も網羅されるべきである。
【００２２】
そのような輪郭をもつ受け部２２、およびその一致する、対応するガイド部４０との関連付けは、繋ぎ縄３０が格納され、受け部２２が筐体１２内に受けられた場合に、係合手段２０がその向きを、ガイド部４０と自動的に位置が合うことを可能し、これにより、装置１０のコンパクトかつ流線形である全体的構造を提供する。この、筐体１２との係合手段２０の自動位置合わせおよび自己結合は、ユーザが、繋ぎ縄の格納の間、係合手段２０の向きを見て、係合手段２０の、筐体１２との結合を手動で位置合わせする必要性を無くす点で好都合である。さらに、この自動位置合わせは、係合手段２０と筐体１２との間の何らかのずれによって、係合手段２０が、例えば一の角度で筐体１２から離れる向きを向いて筐体１２の全体的構造から突出し、ユーザのするスノーボードまたは他の動きに干渉し得るといったことになり得るので重要である。
【００２３】
係合手段２０の拡大図が図６に示されている。本実施形態において、係合手段２０は、受け部２２を有する第１アーム２４と、１または複数の機能部分を有する第２アーム２６とを、互いに一の角度で配置された状態で備える。例えば、第２アーム２６は、ユーザがハンドル部２８を容易に把持し、繋ぎ縄３０を筐体１２から引き出すことを可能とする、および／または、ユーザがしっかりと繋ぎ縄３０を握って、スノーボード２の重量を支えるなどのためにユーザによって操作されるよう適合させられたハンドル部２８を備え得る。第２アーム２６は、アンカーと解放可能に係合するよう適合させられた係合部分７０も備得る。例えば、係合部分７０は、リフトのレールまたは安全バーに取り付け可能であって、これにより装置１０（したがって、スノーボード２）をリフトへ接続するフックを備え得る。係合部分７０は好ましくは、受け部２２から離れた端部にヘッド部２７を備え得る。例えば、ヘッド部２７は、第２アーム２６の、膨らんだ丸みのあるヘッドの端部の形態で構成され得る。ヘッド部２７は、筐体１２における（図９および１０に示されるような）ロック部材８０と協働して、係合手段２０の、ロック部材８０および／または筐体１２とのロックを容易にし得る。
【００２４】
リフトとスノーボード２との間の、装置１０を介した接続は、ユーザの片方の脚がバインディング機構５から解放された場合に、スノーボードの重量を支えることを補助する。特に、係合部分７０は、リフトに乗っている間にスノーボードを支える、繋ぎ縄３０の、リフトへのしっかりとした取り付けを可能とし、また、支えが必要なくなった場合の、リフトからの、繋ぎ縄３０の単純かつ容易な分離も可能とする。
【００２５】
一実施形態において、係合手段２０は、鋼などの高い機械的強度を有する材料から形成されるのが好ましい。
【００２６】
図２、３および５に示されるような実施形態において、受け部２２がガイド部４０において受けられ、係合手段２０は、事前定義された向きに収まるよう制限される場合に、係合手段２０の第２アーム２６は、筐体１２の側面１３と実質的に位置が合うよう配置され得る。第１アーム２４は、図５に最もよく示されているように、筐体１２の側面１３を実質的に横断するよう配置され得る。また更なる実施形態において、第２アーム２６は、受け部２２がガイド部４０において受けられて、係合手段２０が筐体１２に結合された場合に装置１０のよりコンパクトかつ流線形の構造を可能とする場合に、筐体１２の側面１３の凹み内に少なくとも部分的に受けられさえし得る。
【００２７】
筐体１２はオプションで、例えば、筐体１２の側面１３における１または複数の窪み１５を備えて、ユーザが係合手段を利用し易いようにし、これにより、ユーザは、係合手段２０を容易に把持し得、筐体１２から離れるように繋ぎ縄３０を引っ張り、延ばし得る。代替的または追加的に、係合手段２０には、筐体１２に面する１または複数の窪みも構成されて、ユーザが筐体１２から係合手段２０を容易に把持することさらに補助し得る。
【００２８】
図７および図８は、繋ぎ縄３０が筐体１２内に収容され格納されている場合に巻きつけられるリール５０を示す。具体的に、図７は、リール５０および係合手段２０にそれぞれ接続するよう配置された第１端部３２および第２端部３４を示す。一実施形態において、繋ぎ縄３０の第１端部３２は、繋ぎ縄３０が延ばされた場合に筐体１２内に格納される、および／または再び巻きつけられ得るように、格納可能機構５２を介して筐体１２のリール５０に接続するよう配置され得る。リフトに乗っている間の使用時、ユーザは、係合手段２０のハンドル部２８を掴み、それから、筐体１２から離れるように繋ぎ縄３０を引っ張る、引き寄せる、または引き出し得る。ユーザはそれから、係合部分７０を、リフトのレールまたは安全バー上へと引っ掛ける、および／または取り付けるよう配置して、装置１０をリフトへしっかりと接続し得る。リフトに乗っている間の最後に、ユーザは、レールまたは安全バーから係合部分７０を容易に離して、係合手段２０をリフトから解放し得る。例えば、ユーザは単に、彼／彼女がリフトを降りる準備が出来ている場合に、係合部分７０をレールから押して外す、またはスライドさせて外し得る。
【００２９】
格納可能機構５２の作用の下、解放された繋ぎ縄３０は自動的に、筐体１２へ格納され、その中に入るよう再び巻かれる。その際、係合手段２０のある輪郭をもつ受け部２２は、受けられている間に自己位置合わせを行い、これにより、事前定義された向きで、係合手段２０が筐体１２において自動的に結合することを可能とする。特に、受け部２２は、繋ぎ縄３０が筐体１２内に格納され、受け部２２が筐体１２内で受けられる場合にガイド部４０に対する係合手段２０の方向をユーザが見なくてよい、ガイドしなくてよい、または位置合わせしなくてよいように、ガイド部４０と自動的に自己位置決めするよう適合させられている。
【００３０】
格納可能機構５２は、繋ぎ縄３０を筐体１２内に格納することが出来る限りいかなるものであってもよい何らかの公知の構成の何らかの手段を備え得ることが理解される。例えば、格納可能機構５２は、延ばされた繋ぎ縄３０を自動的に筐体１２内に格納する、その中で再び巻きつける、および／またはその中で再び巻くためのコイルばねなどの弾性手段を備え得る。代替的に、スイッチ部材も、ユーザが繋ぎ縄３０の格納を作動させるよう筐体１２に設けられ得る。一実施形態において、格納可能機構５２は、ラチェット機構と協働的に機能して、繋ぎ縄３０の延びおよび／または格納の程度を調整することを可能とし得る。繋ぎ縄３０の延びはさらに、繋ぎ縄３０の延びが予め定められた長さとなるよう調整および／または制御を可能とするクラッチ部材により制御され得る。
【００３１】
図９および図１０に示されるような更なる実施形態において、装置１０はさらに、係合手段２０を、ロック部材８０および／または筐体１２とロックするよう適合させられたロック部材８０を筐体１２に備え得る。特に、繋ぎ縄３０を筐体１２から延ばすように係合手段２０がユーザに引っ張られた場合に、係合手段２０は、ヘッド部２７が、ロック部材８０の対応する開口に挿入可能であり、これにより、筐体１２および／またはロック部材８０において係合手段２０をロックするような向きで配置され得る。組み合わせ錠が図面に示されているが、ロック部材８０は、機械的なキーロックまたは電子的なロックなどの何らかのタイプのロック手段を含み得る。装置１０は、スノーボード２が使用されていない場合にスノーボード２および／またはスノーボードバインディング５に取り付けられているので、ユーザは、繋ぎ縄３０を延ばすよう係合手段２０を筐体１２から引っ張り出し、続いて、延ばされた繋ぎ縄３０を、据え付けの固定された物体に巻きつけるように配置し得る。係合手段２０はそれから、ヘッド部２７がロック部材８０の対応する開口内に挿入され得るように位置決めされ得る。ヘッド部２７はそれから、ロック部材８０のロック機構と係合して、係合手段２０を、ロック部材８０および／または筐体１２にロックするであろう。このことは、装置１０が、固定された物体にスノーボード２を固定して窃盗を防ぐロックとしての役割を果たすことを可能とする。
【００３２】
本願考案の装置１０は、スノーボード２、またはスノーボード２のバインディング機構５に取り付けられるよう適合させられており、好ましくは、そこに永続的に付けられる。スノーボーダーがリフト上にいる場合に、彼／彼女は単に、下方に延ばした手がスノーボード２に届いて、格納可能な係合手段２０を装置１０から掴み得る。係合手段２０のフックはそれから、リフトのレールまたは安全バーにしっかりと取り付けられるよう配置され得る。この配置は、リフトに乗っている間、スノーボード２の重量の殆どをレールまたは安全バーが支えること、したがって、スノーボーダーの脚にかかる圧力を減らすことを可能とする。加えて、係合手段２０の受け部２２は、係合手段２０が筐体１２内に格納し戻されることが可能である場合に、係合手段２０が筐体１２内で受けられる際に自動的にその向きがガイド部４０と位置が合うよう適合させられるような輪郭をもつ。係合手段２０は、筐体１２と結合された場合に、筐体１２の全体的な形状に沿って、スノーボード２またはバインディング機構５が取り付けられた場合に装置１０が、スノーボードをしている間にユーザに干渉して何らかの不都合、傷害、または他の潜在的な危険を引き起こさないようにコンパクトかつ流線形の構造を形成するようにも構成される。さらに、格納可能な繋ぎ縄３０と、係合手段２０の、筐体１２との自動位置合わせおよび自己結合機能性とは好都合であり、使用が容易であり、ユーザが、手で格納を調整し、係合手段２０の向きを見、係合手段２０の、筐体１２との結合の位置合わせをする必要性をなくす。
【図１】
0003208687.tif 000003
【図２】
0003208687.tif 000004
【図３】
0003208687.tif 000005
【図４】
0003208687.tif 000006
【図５】
0003208687.tif 000007
【図６】
0003208687.tif 000008
【図７】
0003208687.tif 000009
【図８】
0003208687.tif 000010
【図９】
0003208687.tif 000011
【図１０】
0003208687.tif 000012